(57)【特許請求の範囲】
【請求項１】
手術顕微鏡を覆うマイクロドレープであって、
前記手術顕微鏡の対物レンズのハウジングに着脱されるレンズキャップと、
前記対物レンズの光軸に対して傾斜した状態で前記レンズキャップの先端に取り付けられて、前記対物レンズを保護する保護レンズと、
前記保護レンズの外縁に取り付けられて、前記レンズキャップと共に前記手術顕微鏡を覆うドレープ本体と、
前記レンズキャップに対して前記保護レンズを、前記光軸に対する傾斜角度を変更可能に支持するジョイントとを備えることを特徴とするマイクロドレープ。
【請求項２】
請求項１に記載のマイクロドレープにおいて、
前記レンズキャップは、直径の異なる前記ハウジングに装着可能に構成されていることを特徴とするマイクロドレープ。
【請求項３】
請求項２に記載のマイクロドレープにおいて、
前記レンズキャップは、
横断面が長軸及び短軸を有する扁平な円形状で、前記長軸及び前記短軸の長さが変化するように弾性変形可能な筒体と、
各々が曲率半径を増減させるように弾性変形可能な円弧形状で、前記短軸の方向において互いの内周面が向き合うように前記筒体の内側に固定された一対の円弧部とで構成されていることを特徴とするマイクロドレープ。
【請求項４】
請求項３に記載のマイクロドレープにおいて、
前記レンズキャップは、前記長軸の方向に前記筒体を弾性圧縮し、前記ハウジングに外挿した後に圧縮力を除去することによって、弾性拡径した状態の前記一対の円弧部の内周面が前記対物レンズの外周面に当接して、前記対物レンズに装着されることを特徴とするマイクロドレープ。
【請求項５】
請求項２に記載のマイクロドレープにおいて、
前記レンズキャップは、
前記ハウジングに内挿される円筒体と、
前記円筒体の外周面から突出して、前記ハウジングの内側に前記円筒体を係止する複数の係止突起とで構成されていることを特徴とするマイクロドレープ。
【請求項６】
請求項２に記載のマイクロドレープにおいて、
前記レンズキャップは、
円周上の１箇所が開閉可能なリング形状のクリップ部と、
把持することによって前記クリップ部を開く把持部と、
前記クリップ部を閉じる向きに付勢する付勢部材とで構成されていることを特徴とするマイクロドレープ。
【請求項７】
請求項２に記載のマイクロドレープにおいて、
前記レンズキャップは、
長尺のベルトと、
前記ベルトの基端に取り付けられたヘッドとで構成され、
前記ヘッドは、
前記ハウジングの外周面に巻回された前記ベルトの先端が挿入される貫通孔と、
前記貫通孔に挿入された前記ベルトを係止する係止爪とを有することを特徴とするマイクロドレープ。
【請求項８】
請求項２に記載のマイクロドレープにおいて、
前記レンズキャップは、
円の周方向の一部が開放された円弧部と、
前記円弧部の一対の先端それぞれから前記円弧部の径方向外側に向けて、互いの間隔が広がるように突出する一対の案内部とで構成されることを特徴とするマイクロドレープ。
【請求項９】
請求項２に記載のマイクロドレープにおいて、
前記レンズキャップは、
中心を挟んで対向配置された一対の円弧部と、
各々が山折り部と谷折り部とが交互に配置された蛇腹構造で、一対の前記円弧部の端部同士を接続する一対の蛇腹部とで構成されることを特徴とするマイクロドレープ。
【請求項１０】
請求項１に記載のマイクロドレープにおいて、
前記保護レンズは、
レンズ本体と、
前記ドレープ本体及び前記ジョイントが取り付けられると共に、前記レンズ本体を着脱可能に支持するレンズ保持部とをユニット化して構成されていることを特徴とするマイクロドレープ。
【請求項１１】
請求項１に記載のマイクロドレープにおいて、
前記ジョイントは、
球及び前記球から突出するロッドを有するボールスタッドと、
前記球を回転可能に支持するソケットとで構成され、
前記球には、直径を減じる向きに弾性変形するための切り込みが設けられていることを特徴とするマイクロドレープ。
【請求項１２】
請求項１に記載のマイクロドレープにおいて、
前記ドレープ本体は、前記手術顕微鏡の接眼レンズが挿入される凹凸のない平滑なシートであることを特徴とするマイクロドレープ。
【請求項１３】
請求項１に記載のマイクロドレープにおいて、
前記ドレープ本体は、
前記手術顕微鏡の上方及び下方の一方を覆う第１ドレープと、
前記手術顕微鏡の上方及び下方の他方を覆う第２ドレープと、
前記第１ドレープ及び前記第２ドレープの外縁同士を重ね合わせた状態で前記手術顕微鏡に固縛する固縛部とを備えることを特徴とするマイクロドレープ。
【発明の詳細な説明】
【技術分野】
【０００１】
本発明は、手術顕微鏡を覆うマイクロドレープに関する。
【背景技術】
【０００２】
従来より、脳神経外科や眼科では、手術顕微鏡を用いて術野を拡大しながら、手術が行われることがある。しかしながら、手術顕微鏡そのものを滅菌するのは難しいので、手術の度に使い捨てのマイクロドレープで手術顕微鏡を覆うのが一般的である（例えば、特許文献１−４を参照）。【０００３】
このようなマイクロドレープは、手術顕微鏡の対物レンズに着脱されるレンズキャップを有する。また特許文献３−４のように、照明光が対物レンズに入射して観察者が眩しく感じる（以下、「グレア」と表記する。）のを防止するために、対物レンズの光軸に対して傾斜した保護レンズがレンズキャップに取り付けられていることもある。
【先行技術文献】
【特許文献】
【０００４】
【特許文献１】特開２０１２−１８３４４９号公報
【特許文献２】特開２０１４−１６１５０４号公報
【特許文献３】特表２０１０−５１２８５１号公報
【特許文献４】特開２０１７−１０７２１０号公報
【発明の概要】
【発明が解決しようとする課題】
【０００５】
しかしながら、上記構成のマイクロドレープでは、対物レンズからレンズキャップが突出するので、手術操作の邪魔になるという課題がある。また、保護レンズを備えるレンズキャップは大型化するので、このような課題が特に顕著になる。さらに、大型のレンズキャップが自重で外れないように、対物レンズに対して強固に固定する必要があるので、着脱に大きな力を要するといった課題もある。【０００６】
本発明は、このような従来技術の課題を解決するためになされたものであり、その目的は、対物レンズと術野との距離を適切に設定して、術者の手術操作スペースを確保可能な構造のマイクロドレープを提供することにある。
【課題を解決するための手段】
【０００７】
本発明は、前記課題を解決するため、手術顕微鏡を覆うマイクロドレープであって、前記手術顕微鏡の対物レンズのハウジングに着脱されるレンズキャップと、前記対物レンズの光軸に対して傾斜した状態で前記レンズキャップの先端に取り付けられて、前記対物レンズを保護する保護レンズと、前記保護レンズの外縁に取り付けられて、前記レンズキャップと共に前記手術顕微鏡を覆うドレープ本体と、前記レンズキャップに対して前記保護レンズを、前記光軸に対する傾斜角度を変更可能に支持するジョイントとを備えることを特徴とする。
【発明の効果】
【０００８】
本発明によれば、対物レンズと術野との距離を適切に設定して、術者の手術操作スペースを確保可能な構造のマイクロドレープを得ることができる。
【図面の簡単な説明】
【０００９】
【図１】手術顕微鏡の要部及びマイクロドレープの概略構成図である。
【図２】対物レンズ及びマイクロドレープの分解斜視図である。
【図３】対物レンズ及びマイクロドレープの断面図である。
【図４Ａ】自然状態のレンズキャップを示す図である。
【図４Ｂ】長軸ａを短くする向きに弾性圧縮したレンズキャップを示す図である。
【図４Ｃ】レンズキャップをハウジングに取り付けた状態を示す図である。
【図５】変形例１に係るレンズキャップの斜視図である。
【図６】変形例２に係るレンズキャップの斜視図である。
【図７】変形例３に係るレンズキャップの概略図である。
【図８Ａ】変形例４に係るレンズキャップの概略図である。
【図８Ｂ】変形例４に係るレンズキャップをハウジングに取り付ける過程を示す図である。
【図８Ｃ】変形例４に係るレンズキャップを大径のハウジングに取り付けた状態を示す図である。
【図８Ｄ】変形例４に係るレンズキャップを小径のハウジングに取り付けた状態を示す図である。
【図９Ａ】変形例５に係るレンズキャップの概略図である。
【図９Ｂ】変形例５に係るレンズキャップをハウジングに取り付ける過程を示す図である。
【図９Ｃ】変形例５に係るレンズキャップを小径のハウジングに取り付けた状態を示す図である。
【図９Ｄ】変形例５に係るレンズキャップを大径のハウジングに取り付けた状態を示す図である。
【図１０Ａ】変形例６に係る保護レンズユニットの分解図である。
【図１０Ｂ】変形例６に係る保護レンズをレンズ保持部に取り付ける過程を示す図である。
【図１０Ｃ】変形例６に係る保護レンズをレンズ保持部に取り付けた状態を示す図である。
【図１１】変形例７に係るジョイントの断面図である。
【発明を実施するための形態】
【００１０】
以下、実施形態に係るマイクロドレープ１０を図面に基づいて説明する。なお、以下に記載する本発明の実施形態は、本発明を具体化する際の一例を示すものであって、本発明の範囲を実施形態の記載の範囲に限定するものではない。従って、本発明は、実施形態に種々の変更を加えて実施することができる。
【００１１】
図１は、手術顕微鏡１の要部及びマイクロドレープ１０の概略構成図である。図２は、対物レンズ６及びマイクロドレープ１０の分解斜視図である。図３は、対物レンズ６及びマイクロドレープ１０の断面図である。
【００１２】
図１に示すように、手術顕微鏡１は、互いに回動可能に連結された複数のアーム２、３、４、５と、アーム５の先端に取り付けられた対物レンズ６及び接眼レンズ７とを主に備える。そして、アーム２−５の接合部分が相対的に回動することによって、術野に対面する位置に対物レンズ６を配置することができる。そして、医師（術者）が接眼レンズ７を覗くことによって、拡大された術野を観察することができる。
【００１３】
また、図２及び図３に示すように、対物レンズ６は、凸レンズである。そして、対物レンズ６は、円筒形状のハウジング８の内側に取り付けられている。すなわち、図３に一点鎖線で示す対物レンズ６の光軸Ｌは、ハウジング８の軸方向に一致する。
【００１４】
さらに、手術顕微鏡１は、照明装置（例えば、ＬＥＤ、キセノンランプ）を備える。照明装置から照射された光は、アーム２−５内に収容された光学系（レンズ、ミラーなど）を介して対物レンズ６を通過し、術野に向けて照射される。この光が術野で反射して再び対物レンズ６に入射することによって、医師が術野を観察することができる。照明装置による光の照射方向は、例えば、光軸Ｌに対して３〜６°程度傾けられている。
【００１５】
手術中に術部に触れるまたは触れる可能性のある全ての器具は滅菌する必要がある。しかしながら、手術顕微鏡１そのものを滅菌するのは難しいので、手術の度に使い捨てのマイクロドレープ１０で手術顕微鏡１を覆う。マイクロドレープ１０は滅菌された状態で梱包されており、手術室で梱包を解いて手術顕微鏡１に被せられる。図１〜図３に示すように、マイクロドレープ１０は、レンズキャップ２０と、保護レンズ３０と、ジョイント４０と、ドレープ本体５０とを主に備える。
【００１６】
レンズキャップ２０は、対物レンズ６のハウジング８に着脱されると共に、保護レンズ３０を支持する役割を担う。レンズキャップ２０は、例えば、弾性変形能を有する樹脂で一体成形されている。レンズキャップ２０を構成する樹脂としては、例えば、ポリカーボネート、ポリアセタール等を採用することができる。図２及び図３に示すように、レンズキャップ２０は、筒体２１と、一対の円弧部２２、２３とを主に備える。
【００１７】
筒体２１は、両端が開口した筒状の外形を呈する。また、筒体２１の横断面（軸方向に直交する断面）は、長軸ａ及び短軸ｂを有する楕円形状（図４参照）である。但し、筒体２１の横断面は、幾何学的に定義された厳密な意味での楕円に限定されず、扁平な円形状であればよい。
【００１８】
筒体２１は、弾性変形可能に構成されている。より詳細には、筒体２１は、長軸ａ及び短軸の長さが変化するように弾性変形可能に構成されている。すなわち、筒体２１の横断面は、自然状態（弾性変形していない状態）で扁平な円形状であればよく、弾性変形されて真円になってもよい。
【００１９】
円弧部２２、２３は、各々が円弧形状の外形を呈する。円弧部２２、２３は、短軸ｂの方向において、互いに対面するように筒体２１の内側に固定されている。より詳細には、円弧部２２、２３の外周面が筒体２１の内周面に取り付けられている。また、円弧部２２、２３は、互いの内周面が向き合うように配置されている。そして、円弧部２２、２３は、曲率半径を増減させるように弾性変形可能に構成されている。
【００２０】
保護レンズ３０は、光を透過する材料（例えば、ガラス、樹脂など）で形成された平板形状のレンズである。但し、保護レンズ３０の形状は平板形状に限定されず、凸形状に隆起した曲面レンズでもよい。保護レンズ３０は、ジョイント４０によってレンズキャップ２０の先端に取り付けられている。保護レンズ３０は、対物レンズ６を保護する。より詳細には、レンズキャップ２０をハウジング８に装着したとき、保護レンズ３０は、対物レンズ６に対面する。そして、保護レンズ３０を通過した外光が対物レンズ６に入射する。
【００２１】
ジョイント４０は、筒体２１の先端の外縁部に支持され、且つ保護レンズ３０を支持している。そして、ジョイント４０は、レンズキャップ２０に対して保護レンズ３０を、光軸Ｌに対する傾斜角度を変更可能に支持している。すなわち、図３に示すように、光軸Ｌに対して傾斜した状態で保護レンズ３０を保持することができる。
【００２２】
本実施形態に係るジョイント４０は、ボールスタッド４１と、ソケット４２とで構成される所謂「ボールジョイント」である。ボールスタッド４１は、球４３と、球４３の表面から突出するロッド４４とで構成される。ソケット４２は、球４３を回転可能に支持する。そして、ソケット４２が筒体２１の先端に取り付けられ、ロッド４４の先端で保護レンズ３０を支持する。但し、ジョイント４０の具体的な構成は、これに限定されない。また、ジョイント４０を省略して、レンズキャップ２０に保護レンズ３０が直接嵌合されていてもよい。
【００２３】
ドレープ本体５０は、シート状の部材である。図１〜図３に示すように、ドレープ本体５０は、保護レンズ３０の外縁部に取り付けられている。換言すれば、ドレープ本体５０は、保護レンズ３０を露出させる開口を有する。本実施形態に係るドレープ本体５０は、第１ドレープ５１と、第２ドレープ５２と、複数の紐５３ａ、５３ｂ、５４ａ、５４ｂ、５５ａ、５５ｂ（固縛部）とで構成されている。なお、固縛部として機能する紐５３ａ、５３ｂ、５４ａ、５４ｂ、５５ａ、５５ｂの数は図１の例に限定されず、１つでもよいし、複数でもよい。
【００２４】
第１ドレープ５１及び第２ドレープ５２は、長尺帯状のシートである。第１ドレープ５１及び第２ドレープ５２は、各々の一端が保護レンズ３０に取り付けられ、別々の向きに延設されている。そして、ハウジング８にレンズキャップ２０を取り付けると、第１ドレープ５１で手術顕微鏡１の上方及び下方の一方を覆い、第２ドレープ５２で手術顕微鏡１の上方及び下方の他方を覆うことができる。
【００２５】
紐５３ａ、５４ａ、５５ａは、第１ドレープ５１の側辺（外縁）に取り付けられている。紐５３ｂ、５４ｂ、５５ｂは、第２ドレープ５２の側辺（外縁）に取り付けられている。そして、第１ドレープ５１及び第２ドレープ５２の側辺同士を重ね合わせた状態で、紐５３ａ、５３ｂ、５４ａ、５４ｂ、５５ａ、５５ｂを手術顕微鏡１に巻回して結ぶことによって、ドレープ本体５０を手術顕微鏡１に固縛する。これにより、ドレープ本体５０の垂れ下がりや手術顕微鏡１の露出を防止することができる。但し、固縛部の具体な構造は前述の例に限定されず、スナップボタン、線ファスナー、面ファスナー、または手術顕微鏡１に巻回してドレープ本体５０を固縛するゴム紐等であってもよい。
【００２６】
一方、ドレープ本体５０には、接眼レンズ７が挿入される凹凸が設けられていない。すなわち、第１ドレープ５１及び第２ドレープ５２は、平滑なシートである。そして、接眼レンズ７は、手術顕微鏡１を覆うドレープ本体５０の任意の位置（図１の例では第１ドレープ５１）を輪ゴムなどで接眼レンズ７の周辺に固定する。そして、ドレープ本体５０の接眼レンズ７を覆う部分を、接眼レンズ７の外径に合わせて切断することによって、接眼レンズ７を露出させる。
【００２７】
次に、マイクロドレープ１０を手術顕微鏡１に取り付ける手順を説明する。図４は、レンズキャップ２０をハウジング８に取り付ける手順を説明するための図である。
【００２８】
まず、作業者（例えば、医師、看護師、その他手術の準備をする人）は、筒体２１の長軸ａの方向にレンズキャップ２０を弾性圧縮する。これにより、図４Ｂに示すように、長軸ａが短くなると共に短軸ｂが長くなって、筒体２１の横断面が真円に近づく。より詳細には、作業者は、長軸ａ及び短軸ｂの両方がハウジング８の直径より大きくなるまで、レンズキャップ２０を弾性圧縮する。
【００２９】
次に、作業者は、図４Ｂに示すように、弾性圧縮した状態のレンズキャップ２０を、ハウジング８に外挿する。次に、作業者は、ハウジング８に外挿した後にレンズキャップ２０への圧縮力を除去する。これにより、筒体２１は、長軸ａが長くなると共に短軸ｂが短くなる向きに弾性復帰する。但し、ハウジング８に外挿された筒体２１の長軸ａは、自然状態の長軸ａより短いものとする。換言すれば、ハウジング８に外挿された筒体２１の短軸ｂは、自然状態の短軸ｂより長いものとする。
【００３０】
これにより、図４Ｃに示すように、一対の円弧部２２、２３は、内周面がハウジング８の外周面に面接触すると共に、曲率半径が増加する向きに弾性拡径する。これにより、レンズキャップ２０は、筒体２１が自然状態に弾性復帰しようとする力、及び一対の円弧部２２、２３が弾性縮径しようとする力によって、ハウジング８を両側から把持する。その結果、レンズキャップ２０がハウジング８に固定される。
【００３１】
次に、作業者は、第１ドレープ５１で手術顕微鏡１の上方及び下方の一方を覆い、第２ドレープ５２で手術顕微鏡１の上方及び下方の他方を覆う。さらに、作業者は、第１ドレープ５１及び第２ドレープ５２の側辺同士を重ね合わせた状態で、紐５３ａ、５３ｂ、５４ａ、５４ｂ、５５ａ、５５ｂを手術顕微鏡１に巻回して結ぶことによって、ドレープ本体５０を手術顕微鏡１に固縛する。これにより、手術顕微鏡１がレンズキャップ２０と共にドレープ本体５０によって覆われる。
【００３２】
次に、作業者は、接眼レンズ７に対してドレープ本体５０を輪ゴムなどで固定し、接眼レンズの外径に合わせて切断する。最後に、術者は、光軸Ｌに対する保護レンズ３０の傾斜角度を、術野を観察しやすい角度に調整する。
【００３３】
本実施形態によれば、例えば以下の作用効果を奏する。
【００３４】
上記の実施形態によれば、レンズキャップ２０の先端（術野に近い側の端部）に取り付けられた保護レンズ３０にドレープ本体５０が固定される。そのため、ハウジング８に取り付けられたレンズキャップ２０は、手術顕微鏡１を覆うドレープ本体５０に内側に収容される。また、光軸Ｌに対する保護レンズ３０の傾斜角度を変更可能に構成したので、保護レンズ３０の傾斜角度を９０°に近づけることによって、保護レンズ３０を術野から離すことができる。その結果、対物レンズ６と術野との間に、術者の手術操作スペースを確保することができる。
【００３５】
このように、上記の実施形態に係るマイクロドレープ１０によれば、対物レンズ６と術野との間に手術操作に十分なスペースを確保し、術者が反射やぎらつきで手術に支障を生じることを防止できる。
【００３６】
また、上記の実施形態によれば、接眼レンズ７が挿入される凹凸がドレープ本体５０に設けられていないので、ドレープ本体５０の任意の位置で接眼レンズ７を覆うことができる。その結果、上記の実施形態に係るマイクロドレープ１０は、対物レンズ６及び接眼レンズ７の相対位置が異なる様々な手術顕微鏡１に適用することができる。但し、対物レンズ６及び接眼レンズ７が挿入される袋状の凹凸がドレープ本体５０に設けられていてもよい。
【００３７】
また、上記の実施形態によれば、第１ドレープ５１及び第２ドレープ５２の側辺同士を重ね合わせた状態で、紐５３ａ、５３ｂ、５４ａ、５４ｂ、５５ａ、５５ｂによって手術顕微鏡１に固縛するので、袋状のドレープ本体と比較して、手術顕微鏡１を覆う作業が簡素化される。但し、ドレープ本体５０の形状は前述の例に限定されず、袋状などの任意の形状であってもよい。
【００３８】
さらに、上記の実施形態によれば、レンズキャップ２０を直径の異なる様々なハウジング８に装着することができる。これにより、ハウジング８の直径が異なる複数の手術顕微鏡１それぞれに専用のマイクロドレープ１０を用意する必要がない。その結果、汎用性の高いマイクロドレープ１０を得ることができる。但し、直径の異なるハウジング８に装着可能なレンズキャップ２０の具体的な構成は、上記の実施形態の例に限定されない。以下、変形例１〜３に係るレンズキャップ６０、７０、８０を説明する。
【００３９】
［変形例１］
図５は、変形例１に係るレンズキャップ６０の斜視図である。なお、上記の実施形態との共通点の詳細な説明は省略し、相違点を中心に説明する。変形例１に係るレンズキャップ６０は、円筒体６１と、複数の係止突起６２とで構成される。
【００４０】
円筒体６１は、横断面が真円である。また、円筒体６１の外形寸法は、ハウジング８の内径寸法より小さい。さらに、円筒体６１の先端（術野に近い側の端部）には、ジョイント４０を介して保護レンズ３０が取り付けられている。
【００４１】
係止突起６２、６３は、円筒体６１の外周面から径方向外側に突出している。また、係止突起６２、６３は、円筒体６１の周方向に等間隔に配置されている。また、係止突起６２、６３は、円筒体６１に出没可能に構成されている。さらに、係止突起６２、６３は、付勢部材（バネ）などによって円筒体６１から突出する向きに付勢されている。
【００４２】
作業者は、係止突起６２、６３を円筒体６１に没入させた状態で、保護レンズ３０が取り付けられた側と反対側の端部から円筒体６１をハウジング８に内挿する。次に、作業者は、係止突起６２、６３を没入させる力を除去する。これにより、円筒体６１から突出した係止突起６２、６３がハウジング８の内側に設けられた円周溝に進入して、円筒体６１がハウジング８に係止される。その結果、レンズキャップ６０がハウジング８に固定される。
【００４３】
［変形例２］
図６は、変形例２に係るレンズキャップ７０の斜視図である。なお、上記の実施形態との共通点の詳細な説明は省略し、相違点を中心に説明する。変形例２に係るレンズキャップ７０は、クリップ部７１と、把持部７２と、コイルバネ（付勢部材）７３とで構成されている。
【００４４】
クリップ部７１は、自然状態でリング形状の外形を呈する。また、クリップ部７１は、円周上の１箇所（把持部７２と反対側の端部）が開閉可能に構成されている。把持部７２は、作業者が摘まむ（把持する）ことによって、クリップ部７１を開く。コイルバネ７３は、クリップ部７１を閉じる向きに付勢する。そして、クリップ部７１及び把持部７２の境界部分には、ジョイント４０を介して保護レンズ３０が取り付けられている。
【００４５】
作業者は、把持部７２を把持してクリップ部７１を開き、開いた状態のクリップ部７１にハウジング８を挿入する。次に、作業者は、把持部７２の把持を解除する。これにより、コイルバネ７３の付勢力によって閉じたクリップ部７１がハウジング８の外周面に当接する。その結果、レンズキャップ７０がハウジング８に固定される。
【００４６】
［変形例３］
図７は、変形例３に係るレンズキャップ８０の概略図である。なお、上記の実施形態との共通点の詳細な説明は省略し、相違点を中心に説明する。変形例３に係るレンズキャップ８０は、ベルト８１と、ヘッド８２とで構成される。レンズキャップ８０は、所謂「結束バンド」である。
【００４７】
ベルト８１は、長尺帯状の外形を呈する。ベルト８１の表面には、複数の歯８３が設けられている。ヘッド８２は、ベルト８１の基端に取り付けられている。ヘッド８２は、ベルト８１の先端が挿入される貫通孔８４と、貫通孔８４内に設けられた係止爪８５とを有する。さらに、ヘッド８２には、ジョイント４０を介して保護レンズ３０が取り付けられている。
【００４８】
変形例３に係るレンズキャップ８０は、ベルト８１が貫通孔８４に挿入されて、楕円のリング形状にされた状態で提供される。楕円を変形させて真円にしたときの直径は、例えば、ハウジング８の最大径（例えば、９０ｍｍ）より少し大きい（例えば、９５ｍｍ〜１００）となるのが望ましい。
【００４９】
作業者は、真円に近い形状に変形させたレンズキャップ８０をハウジング８に外挿する。次に、作業者は、ベルト８１がハウジング８の外周面に密着するまで、ベルト８１を引き絞って固定する。これにより、歯８３が係止爪８５を乗り越えながら、ベルト８１がヘッド８２を通過する。これにより、レンズキャップ８０がハウジング８に固定される。
【００５０】
なお、歯８３は、ベルト８１が貫通孔８４に進入するときに、係止爪８５を乗り越えることができる。一方、歯８３は、貫通孔８４から抜去される向きの力がベルト８１に加えられたときに、係止爪８５に係止されてベルト８１が貫通孔８４から抜去されるのを阻止する。すなわち、マイクロドレープ１０を手術顕微鏡１から取り外す際は、ベルト８１を切断すればよい。
【００５１】
［変形例４］
図８は、変形例４に係るレンズキャップ９０の概略図である。なお、上記の実施形態との共通点の詳細な説明は省略し、相違点を中心に説明する。図８Ａに示すように、変形例４に係るレンズキャップ９０は、円弧部９１と、一対の案内部９２、９３とで構成される。
【００５２】
円弧部９１は、円の周方向の一部が開放された円弧形状の外形を呈する。換言すれば、円弧部９１は、所謂「Ｃ字形状」である。円弧部９１は、自然状態で最も曲率半径が小さく、曲率半径を増加させる向きに弾性変形可能に構成されている。そして、円弧部９１の中心を挟んで、開放された部分と反対側に、ジョイント４０が設けられている。
【００５３】
案内部９２、９３は、円弧部９１の一対の先端それぞれに設けられている。案内部９２、９３は、円弧部９１の先端から径方向外側に向けて（換言すれば、円弧部９１の中心と反対向きに）突出している。また、案内部９２、９３は、基端側（円弧部９１との接続部分）から先端側に向けて徐々に間隔が広がるテーパ形状になっている。
【００５４】
変形例４に係るレンズキャップ９０は、以下の手順でハウジング８に取り付けられる。まず、図８Ｂに示すように、案内部９２、９３をハウジング８の側面に押し当てる。これにより、ハウジング８は、テーパ形状の案内部９２、９３に案内されて、円弧部９１の内部に進入する。また、円弧部９１は、ハウジング８が進入する過程で、曲率半径を増加させる向きに弾性変形する。
【００５５】
そして、図８Ｃ及び図８Ｄに示すように、ハウジング８が円弧部９１の内部に完全に進入すると、円弧部９１は、弾性拡径した状態でハウジング８の外周面に面接触する。このとき、レンズキャップ９０は、円弧部９１が曲率半径を減じる向きに弾性復帰しようとする力によって、ハウジング８を把持する。その結果、変形例４に係るレンズキャップ９０は、直径の異なる様々なハウジング８に取り付けることができる。
【００５６】
［変形例５］
図９は、変形例５に係るレンズキャップ１００の概略図である。なお、上記の実施形態との共通点の詳細な説明は省略し、相違点を中心に説明する。図９Ａに示すように、変形例５に係るレンズキャップ１００は、一対の円弧部１０１、１０２と、一対の蛇腹部１０３、１０４とで構成される。
【００５７】
円弧部１０１、１０２は、円の一部に相当する円弧形状の外形を呈する。円弧部１０１、１０２は、レンズキャップ１００の中心を挟んで対向配置されている。換言すれば、円弧部１０１、１０２は、レンズキャップ１００の周方向に所定の間隔を隔てて配置されている。そして、円弧部１０１、１０２の一方（図９の例では、円弧部１０１）に、ジョイント４０が設けられている。
【００５８】
蛇腹部１０３、１０４は、山折り部と谷折り部とが交互に配置された蛇腹構造の部分である。蛇腹部１０３、１０４は、レンズキャップ１００の中心を挟んで対向配置されている。換言すれば、蛇腹部１０３、１０４は、円弧部１０１、１０２の端部同士を接続する。すなわち、円弧部１０１、蛇腹部１０３、円弧部１０２、及び蛇腹部１０４が周方向に連続することによって、リング状のレンズキャップ１００が形成されている。但し、蛇腹部１０３、１０４の一方は省略可能である。すなわち、レンズキャップ１００は、周方向の少なくとも一箇所に蛇腹部を備えていればよい。また、蛇腹部１０３、１０４は、弾性のゴムなどであってもよい。
【００５９】
蛇腹部１０３、１０４は、山折り部及び谷折り部の高さを減じる向きに弾性変形可能に構成されている。換言すれば、レンズキャップ１００は、一対の円弧部１０１、１０２の間隔を広げる向きの弾性変形能が、一対の蛇腹部１０３、１０４の間隔を広げる向きの弾性変形能より高い。
【００６０】
変形例５に係るレンズキャップ１００は、以下の手順でハウジング８に取り付けられる。まず、ジョイント４０が設けられている側の円弧部１０１を、ハウジング８の外周面に引っ掛ける。次に、図９Ｂに示すように、円弧部１０２を円弧部１０１から離間させる向きに引っ張って、山折り部及び谷折り部の高さを減じる向きに蛇腹部１０３、１０４を弾性変形させる。
【００６１】
そして、図９Ｃ及び図９Ｄに示すように、ハウジング８をレンズキャップ１００の内側に進入させた状態で、円弧部１０２を引っ張る力を除去すると、レンズキャップ１００がハウジング８の外周面に面接触する。このとき、レンズキャップ１００は、蛇腹部１０３、１０４が元の状態に弾性復帰しようとする力によって、ハウジング８を把持する。その結果、変形例５に係るレンズキャップ１００は、直径の異なる様々なハウジング８に取り付けることができる。また、図９Ｄに示すように、大径のハウジング８に取り付けられると、蛇腹部１０３、１０４は、山折り部及び谷折り部が伸び切って、ハウジング８の外周面に面接触する。
【００６２】
［変形例６］
図１０は、変形例６に係る保護レンズユニット１１０の概略図である。なお、上記の実施形態との共通点の詳細な説明は省略し、相違点を中心に説明する。変形例６に係る保護レンズユニット１１０は、上記の実施形態及び変形例１−５のいずれにも適用可能である。図１０Ａに示すように、変形例６に係る保護レンズユニット１１０は、レンズ本体１１１と、タブ１１２と、レンズ保持部１１３とで構成される。
【００６３】
タブ１１２は、レンズ本体１１１の周方向の一部において、レンズ本体１１１の外縁部から径方向外向きに突出している。タブ１１２は、例えば、レンズ本体１１１と一体成形されている。タブ１１２は、レンズ保持部１１３に対してレンズ本体１１１を着脱する際の把持部として機能する。
【００６４】
レンズ保持部１１３は、円弧部１１４と、一対の案内部１１５、１１６とで構成される。レンズ保持部１１３の構造は、変形例４に係るレンズキャップ９０と共通する。また、円弧部１１４には、開放部分の反対側にジョイント４０のロッド４４の先端が接続される。さらに、レンズ保持部１１３にドレープ本体５０が接続（溶着）される。
【００６５】
変形例６に係るレンズ本体１１１は、以下の手順でレンズ保持部１１３に着脱される。まず、図１０Ｂに示すように、タブ１１２を把持してレンズ本体１１１を案内部１１５、１１６に押し当てる。これにより、レンズ本体１１１は、テーパ形状の案内部１１５、１１６に案内されて、円弧部１１４の内部に進入する。また、円弧部１１４は、レンズ本体１１１が進入する過程で、曲率半径を増加させる向きに弾性変形する。
【００６６】
そして、図１０Ｃに示すように、レンズ本体１１１が円弧部１１４の内部に完全に進入すると、円弧部１１４は、弾性拡径した状態でレンズ本体１１１の外周面に面接触する。このとき、レンズ保持部１１３は、円弧部１１４が曲率半径を減じる向きに弾性復帰しようとする力によって、レンズ本体１１１を把持する。また、図１０Ｃの状態からタブ１１２を引っ張ることによって、レンズ保持部１１３からレンズ本体１１１を引き抜くことができる。
【００６７】
レンズ本体１１１は、術野に近い位置に配置されるので、飛び散った血液や洗浄液などが付着することがある。また、レンズ本体１１１の角度を調整する際に、手袋の表面の汚れがレンズ本体１１１に付着することもある。そこで変形例６の保護レンズユニット１１０によれば、レンズ本体１１１を簡単に着脱することができるので、常に鮮明な視界を確保することができる。
【００６８】
［変形例７］
図１１は、変形例７に係るジョイント４０の断面図である。なお、上記の実施形態との共通点の詳細な説明は省略し、相違点を中心に説明する。変形例７に係るジョイント４０は、上記の実施形態及び変形例１−６のいずれにも適用可能である。
【００６９】
変形例７において、ソケット４２は、レンズキャップ２０、６０、７０、８０、９０、１００と一体成形される。また、ボールスタッド４１（すなわち、球４３及びロッド４４）は、ソケット４２とは別に一体成形される。また、変形例６においては、レンズ保持部３２とボールスタッド４１とが一体成形されてもよい。
【００７０】
また、変形例７に係る球４３には、切り込み４５が形成されている。切り込み４５は、例えば、球４３の一部が所謂「くし形切り」された形状である。より詳細には、切り込み４５は、球４３の表面の異なる２箇所から球４３の内部を通る同一仮想線に向かう切断線によって、球４３が切断された形状である。切り込み４５は、直径を減じる向きに球４３を弾性変形させるために設けられる。なお、切り込み４５は、一箇所に限定されず複数箇所に設けられてもよいし、角度や大きさも図１１の例に限定されない。
【００７１】
さらに、球４３の直径は、ソケット４２の開口部より大きい。そこで、球４３は、切り込み４５を狭める向きに弾性圧縮された状態でソケット４２に挿入される。そして、球４３は、ソケット４２の内部で弾性復帰することによって、ソケット４２から脱落することが防止される。
【符号の説明】
【００７２】
１…手術顕微鏡、２，３，４，５…アーム、６…対物レンズ、７…接眼レンズ、８…ハウジング、１０…マイクロドレープ、２１…筒体、２０，６０，７０，８０，９０，１００…レンズキャップ、２２，２３，９１，１０１，１０２，１１４…円弧部、３０…保護レンズ、４０…ジョイント、４１…ボールスタッド、４２…ソケット、４３…球、４４…ロッド、４５…切り込み、５０…ドレープ本体、５１…第１ドレープ、５２…第２ドレープ、５３ａ，５３ｂ，５４ａ，５４ｂ，５５ａ，５５ｂ…紐（固縛部）、６１…円筒体、６２，６３…係止突起、７１…クリップ部、７２…把持部、７３…コイルバネ、８１…ベルト、８２…ヘッド、８３…歯、８４…貫通孔、８５…係止爪、９２，９３，１１５，１１６…案内部、１０３，１０４…蛇腹部、１１０…保護レンズユニット、１１１…レンズ本体、１１２…タブ、１１３…レンズ保持部
【要約】
対物レンズと術野との距離を適切に設定可能な構造のマイクロドレープを提供する。
マイクロドレープ（１０）は、手術顕微鏡の対物レンズ（６）のハウジング（８）に着脱されるレンズキャップ（２０）と、対物レンズ（６）の光軸に対して傾斜した状態でレンズキャップ（２０）の先端に取り付けられて、対物レンズ（６）を保護する保護レンズ（３０）と、保護レンズ（３０）の外縁に取り付けられて、レンズキャップ（２０）と共に手術顕微鏡（１）を覆うドレープ本体（５０）と、レンズキャップ（２０）に対して保護レンズ（３０）を、光軸に対する傾斜角度を変更可能に支持するジョイント（４０）とを備える。【図１】
0006749532.tif 000002
【図２】
0006749532.tif 000003
【図３】
0006749532.tif 000004
【図４Ａ】
0006749532.tif 000005
【図４Ｂ】
0006749532.tif 000006
【図４Ｃ】
0006749532.tif 000007
【図５】
0006749532.tif 000008
【図６】
0006749532.tif 000009
【図７】
0006749532.tif 000010
【図８Ａ】
0006749532.tif 000011
【図８Ｂ】
0006749532.tif 000012
【図８Ｃ】
0006749532.tif 000013
【図８Ｄ】
0006749532.tif 000014
【図９Ａ】
0006749532.tif 000015
【図９Ｂ】
0006749532.tif 000016
【図９Ｃ】
0006749532.tif 000017
【図９Ｄ】
0006749532.tif 000018
【図１０Ａ】
0006749532.tif 000019
【図１０Ｂ】
0006749532.tif 000020
【図１０Ｃ】
0006749532.tif 000021
【図１１】
0006749532.tif 000022